(57)【特許請求の範囲】
【請求項１】
他のファクシミリ装置等から送信されるファクシミリデータを通信回線を介して受信するファクシミリデータ受信手段と、コンピュータ等の外部装置から出力されるプリントデータを入力するプリントデータ入力手段と、前記ファクシミリデータ受信手段により受信されたデータ、及び、前記プリントデータ入力手段により入力されたデータを記録用紙に印刷する記録手段とを備えた多機能周辺装置において、
前記プリントデータ入力手段により入力されたデータの印刷を前記ファクシミリデータ受信手段により受信されたデータの印刷より優先して前記記録手段に行わせるプリント優先モード中であるか否かを判断するモード判断手段と、
そのモード判断手段によりプリント優先モード中であると判断された場合には、前記外部装置から出力されるプリントデータの入力間隔を非プリント優先モード中より短く設定する入力間隔設定手段とを備えたことを特徴とする多機能周辺装置。
【請求項２】
前記ファクシミリデータ受信手段がファクシミリデータの受信中であるか否かを判断する受信判断手段を備え、
前記入力間隔設定手段は、前記モード判断手段により非プリント優先モード中であると判断され、かつ、前記受信判断手段によりファクシミリデータの受信中であると判断された場合には、前記外部装置から出力されるプリントデータの入力間隔をプリント優先モード中より長く設定することを特徴とする請求項１記載の多機能周辺装置。
【請求項３】
前記入力間隔設定手段は、前記外部装置へ出力されるビジー信号の間隔を長短することによりプリントデータの入力間隔を変更することを特徴とする請求項１または２に記載の多機能周辺装置。
【請求項４】
他のファクシミリ装置等から送信されるファクシミリデータを通信回線を介して受信するファクシミリデータ受信手段と、コンピュータ等の外部装置から出力されるプリントデータを入力するプリントデータ入力手段と、前記ファクシミリデータ受信手段により受信されたデータ、及び、前記プリントデータ入力手段により入力されたデータを記録用紙に印刷する記録手段とを備えた多機能周辺装置において、
前記ファクシミリデータ受信手段がファクシミリデータの受信中であるか否かを判断する受信判断手段と、
その受信判断手段によりファクシミリデータの受信中であると判断された場合には、前記外部装置から出力されるプリントデータの入力間隔をファクシミリデータの非受信中より長く設定する入力間隔設定手段とを備えたことを特徴とする多機能周辺装置。
【請求項５】
前記入力間隔設定手段は、前記外部装置へ出力されるビジー信号の間隔をファクシミリデータの受信中はファクシミリデータの非受信中より長くすることを特徴とする請求項４記載の多機能周辺装置。
【発明の詳細な説明】
【０００１】
【発明の属する技術分野】
本発明は、他のファクシミリ装置等から送信されたファクシミリデータの印刷と、コンピュータ等の外部装置から出力されたプリントデータの印刷とをすることができる多機能周辺装置に関するものである。
【０００２】
【従来の技術】
近年、コンピュータの周辺装置としての機能を複数備えた多機能周辺装置が開発されている。その多機能周辺装置の一例として、ファクシミリ装置にプリンタとしての機能を付加したプリンタ機能付きファクシミリ装置がある。このプリンタ機能付きファクシミリ装置は、ファクシミリ装置が本来ファクシミリデータの印刷のために備えているプリンタ（記録装置）を使用して、パーソナルコンピュータやワードプロセッサ等の外部装置から出力されるプリントデータをも印刷できるように構成したものである。このプリンタ機能付きファクシミリ装置は、他のファクシミリ装置等から通信回線を介して送信されたファクシミリデータを受信すると、そのファクシミリデータを印刷し、一方、パーソナルコンピュータ等の外部装置から出力されたプリントデータを入力すると、そのプリントデータを印刷する。
【０００３】
このプリンタ機能付きファクシミリ装置は、パーソナルコンピュータ等の外部装置とセントロニクス仕様のインターフェイスで接続されている。外部装置から出力されたプリントデータは、このインターフェイスを使用して、ファクシミリ装置に１バイトずつ入力される。プリントデータは、まず、ファクシミリ装置の入力レジスタに取り込まれる。プリントデータが入力レジスタに取り込まれると、ファクシミリ装置は割込処理（プリントデータ入力割込処理）を実行して、そのプリントデータを入力レジスタから読み出しプリントメモリへ書き込む。プリントメモリに１頁分のプリントデータが書き込まれると、プリントデータはプリンタにより記録用紙に印刷される。
【０００４】
このように外部装置からプリントデータの入力があると、ファクシミリ装置は、そのプリントデータをプリントメモリへ書き込むための割込処理を頻繁に実行することになる。プリントデータの１バイトの入力毎に、１回の割込処理が実行されるからである。よって、ファクシミリデータの受信中に、プリントデータの入力が重なると、ファクシミリデータの受信印刷処理（受信したデータを復号化してビットイメージに戻した後に印刷する処理）がなかなか進まず、その結果、受信されたファクシミリデータの印刷が大幅に遅れてしまう。そこで、ファクシミリデータの受信印刷処理に支障を来さないように、プリントデータの入力間隔を長く設定して、ファクシミリデータの印刷の遅れを解消していた。
【０００５】
ところで、プリンタ機能付きファクシミリ装置（多機能周辺装置）では、ファクシミリデータの印刷中にプリントデータを入力した場合、そのプリントデータの印刷は、ファクシミリデータの印刷終了後に行われる。このためファクシミリデータの印刷に長時間を要してしまうと、プリントデータがなかなか印刷されず、操作者にとって使い勝手の悪いものとなってしまう。そこで、プリントデータの印刷をファクシミリデータの印刷より優先して行わせるプリント優先モードを設け、ファクシミリデータの印刷中であっても、必要に応じて、プリントデータをファクシミリデータより優先して印刷できるように構成している。このプリント優先モードは、ファクシミリ装置の操作パネルに設けられたプリント優先キーを操作者が押下することにより設定される。
【０００６】
【発明が解決しようとする課題】
しかしながら前記したように、プリントデータの入力間隔は、ファクシミリデータの受信印刷処理に支障を来さないように長く設定されている。よって、例え、プリント優先モードに設定されたとしてもプリントデータの入力には長時間を要してしまうので、プリント優先モードであっても、プリントデータの印刷を高速に行うことができないという問題点がった。一方、プリント優先モードでは、ファクシミリデータの印刷処理はプリントデータの印刷が終了するまで中断されるので、その処理に遅れが生じても支障を来すという問題は生じ得ない。
【０００７】
本発明は上述した問題点を解決するためになされたものであり、ファクシミリデータの受信印刷処理に支障を来すことなく、プリント優先モードにおけるプリントデータの印刷を高速に行うことができる多機能周辺装置（プリンタ機能付きファクシミリ装置）を提供することを目的としている。
【０００８】
【課題を解決するための手段】
この目的を達成するために、請求項１記載の多機能周辺装置は、他のファクシミリ装置等から送信されるファクシミリデータを通信回線を介して受信するファクシミリデータ受信手段と、コンピュータ等の外部装置から出力されるプリントデータを入力するプリントデータ入力手段と、前記ファクシミリデータ受信手段により受信されたデータ、及び、前記プリントデータ入力手段により入力されたデータを記録用紙に印刷する記録手段とを備え、更に、前記プリントデータ入力手段により入力されたデータの印刷を前記ファクシミリデータ受信手段により受信されたデータの印刷より優先して前記記録手段に行わせるプリント優先モード中であるか否かを判断するモード判断手段と、そのモード判断手段によりプリント優先モード中であると判断された場合には、前記外部装置から出力されるプリントデータの入力間隔を非プリント優先モード中より短く設定する入力間隔設定手段とを備えている。
【０００９】
この請求項１記載の多機能周辺装置によれば、他のファクシミリ装置等から通信回線を介して送信されたデータはファクシミリデータ受信手段により受信され、一方、コンピュータ等の外部装置から出力されたデータはプリントデータ入力手段により入力される。受信又は入力された各データは、いずれも記録手段によって記録用紙に印刷される。入力間隔設定手段は、外部装置から出力されるプリントデータの入力間隔を設定するが、モード判断手段によってプリント優先モード中であると判断された場合には、そのプリントデータの入力間隔を非プリント優先モード中より短く設定する。
【００１０】
請求項２記載の多機能周辺装置は、請求項１記載の多機能周辺装置において、更に、前記ファクシミリデータ受信手段がファクシミリデータの受信中であるか否かを判断する受信判断手段を備えており、前記入力間隔設定手段は、前記モード判断手段により非プリント優先モード中であると判断され、かつ、前記受信判断手段によりファクシミリデータの受信中であると判断された場合には、前記外部装置から出力されるプリントデータの入力間隔をプリント優先モード中より長く設定するものである。
【００１１】
請求項３記載の多機能周辺装置は、請求項１または２に記載の多機能周辺装置において、前記入力間隔設定手段は、前記外部装置へ出力されるビジー信号の間隔を長短することによりプリントデータの入力間隔を変更するものである。
【００１２】
請求項４記載の多機能周辺装置は、他のファクシミリ装置等から送信されるファクシミリデータを通信回線を介して受信するファクシミリデータ受信手段と、コンピュータ等の外部装置から出力されるプリントデータを入力するプリントデータ入力手段と、前記ファクシミリデータ受信手段により受信されたデータ、及び、前記プリントデータ入力手段により入力されたデータを記録用紙に印刷する記録手段とを備え、更に、前記ファクシミリデータ受信手段がファクシミリデータの受信中であるか否かを判断する受信判断手段と、その受信判断手段によりファクシミリデータの受信中であると判断された場合には、前記外部装置から出力されるプリントデータの入力間隔をファクシミリデータの非受信中より長く設定する入力間隔設定手段とを備えている。
【００１３】
この請求項４記載の多機能周辺装置によれば、他のファクシミリ装置等から通信回線を介して送信されたデータはファクシミリデータ受信手段により受信され、一方、コンピュータ等の外部装置から出力されたデータはプリントデータ入力手段により入力される。受信又は入力された各データは、いずれも記録手段によって記録用紙に印刷される。入力間隔設定手段は、外部装置から出力されるプリントデータの入力間隔を設定するが、受信判断手段によってファクシミリデータの受信中であると判断された場合には、そのプリントデータの入力間隔をファクシミリデータの非受信中より長く設定する。
【００１４】
請求項５記載の多機能周辺装置は、請求項４記載の多機能周辺装置において、前記入力間隔設定手段は、前記外部装置へ出力されるビジー信号の間隔をファクシミリデータの受信中はファクシミリデータの非受信中より長くするものである。
【００１５】
【発明の実施の形態】
以下、本発明の好ましい実施例について、添付図面を参照して説明する。本実施例は、多機能周辺装置の一形態であるプリンタ機能付きファクシミリ装置を用いて説明する。このプリンタ機能付きファクシミリ装置は、ファクシミリ装置にプリンタとしての機能を付加した装置であり、ファクシミリ装置としての機能とプリンタとしての機能とを兼ね備えている。即ち、このプリンタ機能付きファクシミリ装置は、受信されたファクシミリデータの印刷のみならず、パーソナルコンピュータから入力されたプリントデータをも印刷することができる多機能周辺装置である。
【００１６】
図１に、パーソナルコンピュータ５０が接続された本ファクシミリ装置１の外観斜視図を示す。ファクシミリ装置１の本体２の側部には、受話器３が取り付けられている。受話器３は非通話時には本体２に設けられた図示しないフック上に置かれ、通話時にはフックから取り上げられて使用される。前者をオンフック状態、後者をオフフック状態と称する。本体２の上面前部には、プリント優先キーをはじめ複数のボタンを備えた操作パネル４が設けられており、この操作パネル４の左後部には、液晶表示器（ＬＣＤ）５が設けられている。ファクシミリ装置１は、操作パネル４上に設けられたボタンが押下されることにより操作され、その操作された状態や操作手順などはＬＣＤ５に表示される。
【００１７】
なお、操作パネル４上のプリント優先キーが操作者によって押下されると、ファクシミリ装置１の動作モードは、プリント優先モードに移行される。このプリント優先モードは、パーソナルコンピュータ５０から入力されたプリントデータをファクシミリ受信されたファクシミリデータより優先して印刷するモードである。例えば、受信されたファクシミリデータの印刷中にプリントデータを早急に印刷させたい場合や、プリントデータに合わせた特別な記録用紙をファクシミリ装置１にセットした後にファクシミリデータを受信したとしても、その特別な記録用紙をファクシミリデータの印刷に使用することなく、確実にプリントデータの印刷に使用したい場合に、プリント優先モードは使われる。
【００１８】
操作パネル４及びＬＣＤ５の後部には原稿挿入口６が設けられている。ファクシミリ送信される原稿はこの原稿挿入口６に原稿面を下向きにして挿入され、読み取りが行われた後に、本体２の前面であって操作パネル４の下方に設けられた原稿排出口７から排出される。原稿挿入口６の後部には、記録紙トレー装着部９が設けられている。この記録紙トレー装着部９には、複数枚の記録用紙を積層収納可能な記録紙トレー１０が着脱可能に取り付けられている。記録紙トレー１０から供給され印刷に使用された記録用紙は、原稿排出口７の下方に設けられた記録紙排出口８から排出される。
【００１９】
本体２の背面には、パソコン用インターフェイス１４のコネクタが設けられている（図２参照）。ファクシミリ装置１は、このパソコン用インターフェイス１４に接続されたケーブル１５を介して、外部装置としてのパーソナルコンピュータ５０と接続される。なお、ファクシミリ装置１とパーソナルコンピュータ５０との接続は、ケーブル１５に限られるものではなく、赤外線などの光信号により接続することも可能である。
【００２０】
図２は、本ファクシミリ装置１の電気的構成を示したブロック図である。ファクシミリ装置１には、ＣＰＵ１１、ＲＯＭ１２、ＲＡＭ１３、パソコン用インターフェイス１４、音声ＬＳＩ１７、ネットワーク・コントロール・ユニット（以下、「ＮＣＵ」と称する）１９、モデム２０、バッファ２１、スキャナ２２、符号化部２３、復号化部２４、プリンタ２５、操作パネル４、アンプ２７が備えられ、これらはバスライン２９を介して相互に接続されている。
【００２１】
ＣＰＵ１１は、ＮＣＵ１９を介して送受信される各種信号に基づいて、バスライン２９に接続された各部を制御してファクシミリ動作やプリンタ動作などを実行する。ＲＯＭ１２は、このファクシミリ装置１で実行される制御プログラム１２ａなどを格納した書換不能なメモリであり、図４から図６に図示されるフローチャートのプログラムはＲＯＭ１２内に格納されている。
【００２２】
ＲＡＭ１３は各種のデータを記憶するためのメモリであり、受信メモリ１３ａ、プリントメモリ１３ｂなどを備えている。受信メモリ１３ａは、他のファクシミリ装置から電話回線３０を介して受信されたファクシミリデータを記憶するメモリであり、プリントメモリ１３ｂは、パソコン用インターフェイス１４にケーブル１５を介して接続されたパーソナルコンピュータ５０から出力されたプリントデータを記憶するメモリである。受信メモリ１３ａに記憶されたファクシミリデータ、及び、プリントメモリ１３ｂに記憶されたプリントデータは、いずれもプリンタ２５によって記録用紙に印刷される。印刷後、各データはそれぞれのメモリ１３ａ，１３ｂから消去される。
【００２３】
音声ＬＳＩ１７は、ＮＣＵ１９によって受信されたアナログ音声信号をデジタル音声信号に変換すると共に、このファクシミリ装置１の内部で生成されたデジタル音声信号をアナログ音声信号に変換してＮＣＵ１９に出力するものである。モデム２０は、画像データを変調及び復調して伝送すると共に伝送制御用の各種手順信号を送受信するものである。バッファ２１は、相手側ファクシミリ装置との間で送受信される符号化されたファクシミリデータやスキャナ２２により読み取られた原稿の画像データを一時的に格納するものである。
【００２４】
スキャナ２２は原稿挿入口６に挿入された原稿の画像を読み取るためのものであり、符号化部２３はスキャナ２２により読み取られた原稿画像の符号化を行うものである。復号化部２４は、バッファ２１に記憶された受信されたファクシミリデータを読み出して、これを復号化するものであり、復号化されたデータは、プリンタ２５により記録用紙に印刷される。操作パネル４は、操作者がこのファクシミリ装置１の設定等の各種の操作を行うためのものである。アンプ２７は、そのアンプ２７に接続されたスピーカ２８を鳴動して、呼出音などを出力するためのものである。このように構成されたファクシミリ装置１は、ＮＣＵ１９を介して、電話回線３０に接続されている。
【００２５】
パソコン用インターフェイス１４は、セントロニクス仕様準拠のインターフェイスであり、入力レジスタ１４ａ、割込発生回路１４ｃ、ビジータイマ１４ｃを備えている。入力レジスタ１４ａは１バイトのサイズを備えており、パーソナルコンピュータ５０から出力されたプリントデータは１バイト単位でこの入力レジスタ１４ａに入力（受信）される。割込発生回路１４ｂは、入力レジスタ１４ａにプリントデータが入力されると、ＣＰＵ１１に割込を発生させる回路である。割込発生回路１４ｂによって割込が発生されると、ＣＰＵ１１は、図５のプリントデータ入力割込処理を実行する。この割込処理でＣＰＵ１１は、入力レジスタからプリントデータを読み出し、そのデータをＲＡＭ１３のプリントメモリ１３ｂへ書き込むのである。
【００２６】
ビジータイマ１４ｃは、ファクシミリ装置１からパーソナルコンピュータ５０へ送られるビジー信号のハイの持続時間をコントロールするタイマである。ビジー信号がハイの間は、パーソナルコンピュータ５０からプリントデータは出力されない。よって、ビジー信号のハイの持続時間を変化させることにより、プリントデータの入力間隔を変化させることができる。即ち、ビジー信号のハイの持続時間を長くすると、プリントデータの入力間隔は長くされ、逆に、ビジー信号のハイの持続時間を短くすると、プリントデータの入力間隔は短くされる。従って、図４のビジー時間設定処理により、このビジータイマ１４ｃには、プリント優先モード中やファクシミリデータの非受信中には９μｓの短い時間がセットされ、一方、非プリント優先モード中かつファクシミリデータの受信中には４００μｓの長い時間がセットされる。
【００２７】
ここで図３を参照して、パーソナルコンピュータ５０から出力されるプリントデータの入力タイミングを説明する。パーソナルコンピュータ５０は、まず、プリントデータＤＡＴＡを出力する。出力されたプリントデータのセットアップ時間ｔ１（約７５０ｎｓｅｃ）の経過後に、ファクシミリ装置１からビジー信号ＢＵＳＹがロウ出力されていれば、ストローブ信号ＳＴＢを約７５０ｎｓｅｃの間ｔ２ロウとする。このストローブ信号ＳＴＢの立ち下がりで、プリントデータＤＡＴＡがパソコン用インターフェイス１４の入力レジスタ１４ａに取り込まれる。
【００２８】
入力レジスタ１４ａにプリントデータが取り込まれる（入力される）と、ファクシミリ装置１は、パーソナルコンピュータ５０へハイのビジー信号ＢＵＳＹを出力すると共に、図５のプリントデータ入力割込処理を実行する。このハイのビジー信号ＢＵＳＹは、ビジータイマ１４ｃにセットされた時間持続される。即ち、ハイのビジー信号ＢＵＳＹの持続時間Ｔは、プリント優先モード中やファクシミリデータの非受信中は９μｓであり、非プリント優先モード中かつファクシミリデータの受信中は４００μｓである。
【００２９】
ビジー信号ＢＵＳＹのハイ出力と共に、アクノリッジ信号ＡＣＫは所定時間ｔ３ロウ出力される。所定時間ｔ３が経過すると、アクノリッジ信号ＡＣＫは再びハイ出力される。アクノリッジ信号ＡＣＫがハイ出力され、ビジー信号ＢＵＳＹのハイ出力の持続時間Ｔが経過すると、ビジー信号ＢＵＳＹの出力はロウとなり、パーソナルコンピュータ５０から出力されるプリントデータＤＡＴＡの入力待ちの状態になる。
【００３０】
次に、上記のように構成されたプリンタ機能付きファクシミリ装置１のプリントデータの入力及び印刷処理について、図４から図６のフローチャートを参照して説明する。図４は、前記したビジー信号ＢＵＳＹのハイ出力の持続時間Ｔを設定するためのビジー時間設定処理である。このビジー時間設定処理は、ＣＰＵ１１により定期的に実行される。
【００３１】
ビジー時間設定処理では、まず、プリント優先モード中であるか否かと（Ｓ１）、ファクシミリデータの受信中であるか否かとが（Ｓ２）、調べられる。プリント優先モード中（Ｓ１：Ｙｅｓ）、又は、ファクシミリデータの非受信中（Ｓ２：Ｎｏ）であれば、入力されたプリントデータを高速で印刷するために、ビジータイマ１４ｃに９μｓがセットされ（Ｓ４）、ビジー信号のハイ出力の持続時間Ｔが短く設定される。これによりプリントデータの入力間隔が短時間となるので、単位時間当たりに入力されるプリントデータのデータ量を多くすることができ、その結果、プリントデータが高速に印刷される。
【００３２】
一方、非プリント優先モード中に（Ｓ１：Ｎｏ）、ファクシミリデータの受信をしている場合には（Ｓ２：Ｙｅｓ）、ファクシミリデータの受信印刷処理を円滑に進めるため、ビジータイマ１４ｃに４００μｓがセットされ（Ｓ３）、ビジー信号のハイ出力の持続時間Ｔが長く設定される。これによりプリントデータの入力間隔が長時間となるので、単位時間当たりにおけるファクシミリデータの受信印刷処理の実行時間が増加され、その結果、ファクシミリデータの受信及び印刷が円滑に行われる。
【００３３】
図５は、プリントデータの入力割込処理である。パーソナルコンピュータ５０によりストローブ信号ＳＴＢがロウにされると、その立ち下がりのタイミングでプリントデータが入力レジスタ１４ａに取り込まれる（入力される）。かかるプリントデータの入力により、割込発生回路１４ｂによって割込が発生され、ＣＰＵ１１によってこの処理が実行される。プリントデータ入力割込処理では、入力レジスタ１４ａのデータを読み出し（Ｓ１１）、その読み出したデータをＲＡＭ１３のプリントメモリ１３ｂへ書き込む（Ｓ１２）。即ち、プリントデータを１バイトずつ、プリントメモリ１３ｂへ書き込む処理が行われる。
【００３４】
プリントメモリ１３ｂに書き込まれたプリントデータは、図６のプリントデータ印刷処理によって記録用紙に印刷される。このプリントデータ印刷処理は、ＣＰＵ１１により定期的に実行される。プリントデータ印刷処理では、まず、プリントメモリ１３ｂに１頁分のプリントデータが揃ったか否か調べられる（Ｓ２１）。１頁分のプリントデータが揃っていなければ（Ｓ２１：Ｎｏ）、プリントデータの印刷は行わず、そのままこの処理を終了する（Ｓ２３）。一方、１頁分のプリントデータが揃っていれば（Ｓ２１：Ｙｅｓ）、プリンタ２５を用いて１頁分のプリントデータが印刷される（Ｓ２２）。
【００３５】
以上説明したように、本実施例の多機能周辺装置の一形態であるプリンタ機能付きファクシミリ装置によれば、プリント優先モード中やファクシミリデータの非受信中には、プリントデータの入力間隔が９μｓと短く設定されるので、単位時間当たりのプリントデータの入力量を多くすることができ、その結果、プリントデータを高速で印刷することができる。プリント優先モード中には、例えファクシミリデータの受信処理があっても印刷処理はなく、ファクシミリデータの非受信中には、ファクシミリデータの印刷処理はあっても受信処理はないので、本実施例のようにプリントデータの入力間隔を短く設定しても、ファクシミリデータの受信印刷処理に支障を来すことがない。
【００３６】
一方、非プリント優先モード中、かつ、ファクシミリデータの受信中には、プリントデータの入力間隔が４００μｓと長く設定されるので、単位時間当たりにおけるファクシミリデータの受信印刷処理の実行時間を増加することができる。このためファクシミリデータの受信印刷処理を高速に行うことができる。
【００３７】
また、上記のプリントデータの入力間隔は、ビジー信号のハイ出力持続時間Ｔを長短させることにより変化されるので、製品のコストアップを生じることなく簡単な構成で、プリントデータの入力間隔を変化させることができる。
【００３８】
なお、請求項１記載の多機能周辺装置では、モード判断手段としてはＳ１の処理が、入力間隔設定手段としてはＳ４の処理が、それぞれ該当する。請求項２及び４記載の多機能周辺装置では、受信判断手段としてはＳ２の処理が、入力間隔設定手段としてはＳ３の処理が、それぞれ該当する。
【００３９】
以上、実施例に基づき本発明を説明したが、本発明は上記実施例に何ら限定されるものではなく、本発明の趣旨を逸脱しない範囲内で種々の改良変形が可能であることは容易に推察できるものである。
【００４０】
例えば、本実施例におけるビジー間隔（ビジー信号ＢＵＳＹのハイ出力持続時間Ｔ）は、長短いずれの場合にもソフト制御によりセットされた。しかし、これを長い時間はソフト制御によりセットし、短い時間はハード制御によりセットするようにしても良い。
【００４１】
また、本実施例のファクシミリ装置１は、セントロニクス仕様準拠のインターフェイス１４によりパーソナルコンピュータ５０と接続されたが、ＲＳ−２３２Ｃ規格のインターフェイスにより接続するようにしても良い。
【００４２】
【発明の効果】
請求項１記載の多機能周辺装置によれば、プリント優先モード中はプリントデータの入力間隔が非プリント優先モード中より短く設定されるので、単位時間当たりのプリントデータの入力量を多くすることができる。即ち、プリントデータの入力を高速で行うことができるので、プリントデータの印刷処理を高速化することができるという効果がある。
【００４３】
請求項２記載の多機能周辺装置によれば、請求項１記載の多機能周辺装置の奏する効果に加え、更に、非プリント優先モード中、かつ、ファクシミリデータの受信中は、プリントデータの入力間隔がプリント優先モード中より長く設定されるので、単位時間当たりのファクシミリデータの受信印刷処理の実行時間がプリント優先モード中に比べて増加する。よって、ファクシミリデータの受信印刷処理を高速に行うことができるという効果がある。
【００４４】
請求項３記載の多機能周辺装置によれば、請求項１または２に記載の多機能周辺装置の奏する効果に加え、プリントデータの入力間隔は、外部装置へ出力されるビジー信号の間隔を長短することにより変更されるので、簡単な構成でその入力間隔を変化させることができるという効果がある。
【００４５】
請求項４記載の多機能周辺装置によれば、ファクシミリデータの受信中は、プリントデータの入力間隔が非受信中より長く設定されるので、単位時間当たりのファクシミリデータの受信印刷処理の実行時間が非受信中に比べて増加する。よって、ファクシミリデータの受信印刷処理を高速に行うことができるという効果がある。
【００４６】
請求項５記載の多機能周辺装置によれば、請求項４記載の多機能周辺装置の奏する効果に加え、ファクシミリデータの受信中は、外部装置へ出力されるビジー信号の間隔をファクシミリデータの非受信中より長くして、プリントデータの入力間隔を長くしている。よって、簡単な構成でファクシミリデータの受信印刷処理を高速に行わせることができるという効果がある。
【図面の簡単な説明】
【図１】本発明の一実施例であるプリンタ機能付きファクシミリ装置の斜視図である。
【図２】上記ファクシミリ装置の電気的構成を示したブロック図である。
【図３】プリントデータの入力タイミングの説明図である。
【図４】ビジー時間設定処理を示したフローチャートである。
【図５】プリントデータ入力割込処理を示したフローチャートである。
【図６】プリントデータ印刷処理を示したフローチャートである。
【符号の説明】
１                  プリンタ機能付きファクシミリ装置（多機能周辺装置）
１１                ＣＰＵ
１２                ＲＯＭ
１３                ＲＡＭ
１３ａ              受信メモリ
１３ｂ              プリントメモリ
１４                パソコン用インターフェイス
１４ａ              入力レジスタ（プリントデータ入力手段）
１４ｂ              割込発生回路
１４ｃ              ビジータイマ
１９                ＮＣＵ（ファクシミリデータ受信手段の一部）
２０                モデム（ファクシミリデータ受信手段の一部）
２１                バッファ（ファクシミリデータ受信手段の一部）
２５                プリンタ（記録手段）
３０                電話回線（通信回線）
５０                パーソナルコンピュータ（外部装置）
ＡＣＫ              アクノリッジ
ＢＵＳＹ            ビジー信号
ＤＡＴＡ            プリントデータ
ＳＴＢ              ストローブ信号
【図１】
0003620166.tif 000002
【図２】
0003620166.tif 000003
【図３】
0003620166.tif 000004
【図４】
0003620166.tif 000005
【図５】
0003620166.tif 000006
【図６】
0003620166.tif 000007